(57)【特許請求の範囲】
【請求項１】
片面に微小レンズを隙間無く配列して構成したレンズアレイシートにおいて、
レンズアレイを構成する個々のレンズの収差を算出した結果に基づいて、該レンズアレイシートのスクリーン面上にできるそのデフォーカス形状の外郭をトレースした多角形もしくは曲線形状を開口部とした遮光層を配置したことを特徴とするレンズアレイシート。
【請求項２】
前記開口部の形状を、レンズアレイを構成する個々のレンズの持つ収差のうち、球面収差が大きい場合の形状として円形の開口部形状とした遮光層を配置したことを特徴とする請求項１記載のレンズアレイシート。
【請求項３】
前記開口部の形状を、レンズアレイを構成する個々のレンズの持つ収差のうち、コマ収差が大きい場合の形状として三角形の開口部形状とした遮光層を配置したことを特徴とする請求項１記載のレンズアレイシート。
【請求項４】
前記開口部の形状を、レンズアレイを構成する個々のレンズの持つ収差のうち、非点収差が大きい場合の形状として矩形の開口部形状とした遮光層を配置したことを特徴とする請求項１記載のレンズアレイシート。
【請求項５】
前記開口部の形状が、レンズアレイを構成する個々のレンズの持つ収差が、レンズアレイシートのスクリーン面上の場所毎に異なる場合の形状として、その場所に応じて円形、三角形、矩形等の開口形状を任意に組み合わせた形状、あるいは円形、三角形、矩形等の開口形状を任意に組み合わせてできる中間形状を含めた開口部の形状が連続的に変化させた開口形状とした遮光層を配置したことを特徴とする請求項１記載のレンズアレイシート。
【発明の詳細な説明】
【０００１】
【発明の属する技術分野】
本発明は、一例として背面投射型ディスプレイ等、透過型の投影用スクリーンに用いるレンズシートに関する。
【０００２】
【従来の技術】
透過型の投影用スクリーンとして古くは磨りガラスに始まり、最近ではその明るさや、観察領域を適切に保つ目的でフレネルレンズやレンチキュラーレンズ等の光学シートを単独、あるいは組み合わせて使用している。また、レンチキュラーレンズの射出面など、遮光層をスクリーン中に適切に配置する事により、Ｓ／Ｎ比等を向上させる技術も公知である。
従来、透過型スクリーンにおいて、スクリーンゲインの低下を伴わずにＳ／Ｎ比を向上させる方法には、レンズアレイと遮光層を組み合わせる方式が有るが、遮光層に設ける開口部分面積が少ない程スクリーンの光学性能が向上するにも拘わらず、レンズアレイを構成する個々のレンズの収差により様々な形状のボケを生じる事から開口部を小さく出来ず、十分な効果を発揮できなかった。
【０００３】
【発明が解決しようとする課題】
本発明は、上記の課題を鑑みてなされたもので、レンズアレイシートを用いた透過型スクリーンにおいて、ノイズ光のみを効率的に遮光する事で、スクリーンゲインを落とさずに、Ｓ／Ｎ比の向上を図る事ができ、又乱反射光も遮断するのでシンチレーションなどの光学ノイズが低減する事が可能となる遮光層を有するレンズアレイシートを提供することを目的とする。
【０００４】
【課題を解決するための手段】
本発明における前記課題は下記の手段によって解決できる。
【０００５】
請求項１記載の発明は、
片面に微小レンズを隙間無く配列して構成したレンズアレイシートにおいて、
レンズアレイを構成する個々のレンズの収差を算出した結果に基づいて、該レンズアレイシートのスクリーン面上にできるそのデフォーカス形状の外郭をトレースした多角形もしくは曲線形状を開口部とした遮光層を配置したことを特徴とするレンズアレイシートである。
【０００６】
請求項２の発明は、
請求項１記載のレンズアレイシートにおいて、前記開口部の形状を、レンズアレイを構成する個々のレンズの持つ収差のうち、球面収差が大きい場合の形状として円形の開口部形状とした遮光層を配置したことを特徴とする。
【０００７】
請求項３の発明は、
請求項１記載のレンズアレイシートにおいて、前記開口部の形状を、レンズアレイを構成する個々のレンズの持つ収差のうち、コマ収差が大きい場合の形状として三角形の開口部形状とした遮光層を配置したことを特徴とする。
【０００８】
請求項４の発明は、
請求項１記載のレンズアレイシートにおいて、前記開口部の形状を、レンズアレイを構成する個々のレンズの持つ収差のうち、非点収差が大きい場合の形状として矩形の開口部形状とした遮光層を配置したことを特徴とする。
【０００９】
請求項５の発明は、
請求項１記載のレンズアレイシートにおいて、前記開口部の形状が、レンズアレイを構成する個々のレンズの持つ収差が、スクリーン面上の場所毎に異なる場合の形状として、その場所に応じて円形、三角形、矩形等の開口形状を任意に組み合わせた形状、あるいは円形、三角形、矩形等の開口形状を任意に組み合わせてできる中間形状を含め、開口部の形状が連続的に変化させた開口形状をとした遮光層を配置したことを特徴とする。
【００１０】
【発明の実施の形態】
本発明の実施の形態を、図を用いて詳細に説明する。
図１に本発明のレンズアレイシートにおける一例を示す。
レンズアレイ面（１）に入射した入射光（２）は、そのレンズ形状により屈折され、射出光（３）として射出される。このときの個々のレンズから射出する位置に開口部を持つ遮光層（４）を設ける事で、本来射出するべき光線のみを効率的に射出させる事が可能となる。
図２は各収差に応じた開口部を持った場合の一例である。
（５）は、球面収差に応じた形状として、円形の開口形状を開口部とした遮光層、（６）、（７）は、それぞれ非点収差、コマ収差に対応した矩形、三角形の開口形状を開口部とした遮光層を設けた場合である。
【００１１】
本発明のレンズアレイシートは、光学用透明樹脂で構成する事で、レンズ、あるいはプリズムとして機能する。この光学用透明樹脂には光学部品の生産技術上、各種成形技術の応用しやすい透明合成樹脂シートが望ましい。
透明合成樹脂としてはポリメタクリル酸メチル等のアクリル樹脂、ポリカーボーネート樹脂、アクリル−スチレン共重合体樹脂、スチレン樹脂、ポリ塩化ビニール樹脂等を挙げる事ができる。
【００１２】
＜作用＞
本発明では、レンズアレイを構成する個々のレンズの収差に応じた開口部を持つ遮光層を形成する事で、ノイズ光のみを効率的に遮光し、信号光のみを選択的に射出する事が可能となる。
【００１３】
【発明の効果】
本発明で用いるレンズアレイシートの以下の特長、光学形状の自由度が高い、レンズ形状を適切に選ぶことで、モアレの低減が容易である、と言った点に加え、以下の効果を奏する。
【００１４】
ノイズフィルター効果、すなわち遮光層における遮光部面積比を、レンズの形状に依らず最大限取る事が可能な為、ノイズ光、特に外部からの光線を減らす点において顕著な効果を得る事が可能となる。
【００１５】
Ｓ／Ｎ比の向上、すなわち遮光層における遮光部面積比を、最大限に取る事が可能な為、ノイズ光、特に内部で発生する光線を減らす事が可能で、顕著な効果を得る事が可能となる。
【００１６】
特に、光学面形状にトーリック面など、回転対称でないレンズ形状を適切に用いる事で、例えば背面投写型プロジェクターのスクリーン等において、フレネルレンズを省略する場合には、フレネルレンズでのノイズ光が無くなる事と相まって、より高い効果を期待できる。
【図面の簡単な説明】
【図１】本発明のレンズアレイシートの概念図。
【図２】本発明の遮光層の開口形状を変えたレンズアレイシートの概念図。
【符号の説明】
（１）レンズアレイ面
（２）入射光
（３）射出光
（４）遮光層
（５）球面収差に応じた円形の開口形状を開口部とした遮光層
（６）非点収差に応じた矩形の開口形状を開口部とした遮光層
（７）コマ収差に応じた三角形の開口形状を開口部とした遮光層
【図１】
0003738567.tif 000002
【図２】
0003738567.tif 000003